【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
結晶質成分；および、
非晶質成分を含み、
４０℃から８０℃の範囲の温度において、（ｉ）２Ｎから４．５Ｎの範囲の静的力、および、（ｉｉ）３００ＭＰａから７００ＭＰａの範囲の貯蔵弾性率を同時に示し、
前記結晶質成分が、ワックスでなく、
前記結晶質成分が、
ａ）以下の式を有するジウレタンであって、
【化１】
2015091955.tif 000001
ここで、Ｑはアルカンジイルであり、各Ｒ６およびＲ７は独立して、場合により１つ以上のアルキルで置換されているフェニルまたはシクロヘキシルであり、ｉは０または１であり、ｊは０または１であり、ｐは１から４であり、ｑは１から４であるジウレタンと、
ｂ）以下の式を有する芳香族エーテルであって、
Ｒ６−Ｏ−［（ＣＨ２）２Ｏ］ｐ−Ｒ７
ここで、Ｒ６およびＲ７は、（ｉ）アルキル基であって、直鎖状もしくは分岐鎖状、環状もしくは非環状、置換もしくは非置換、飽和もしくは不飽和のアルキル基であることができ、ヘテロ原子が場合により１から４０個の炭素原子を有するアルキル基に存在してもよい、アルキル基、（ｉｉ）アリールアルキル基であって、置換または非置換のアリールアルキル基であることができ、前記アリールアルキル基のアルキル部分は直鎖状もしくは分岐鎖状、環状もしくは非環状、置換もしくは非置換、飽和もしくは不飽和であることができ、ヘテロ原子が場合により４個から４０個の炭素原子を有する前記アリールアルキル基のアリール部分またはアルキル部分のいずれかに存在してもよいアリールアルキル基、および（ｉｉｉ）芳香族基であって、置換または非置換の芳香族基であることができ、置換基は、直鎖状、分岐鎖状、環状または非環状のアルキル基であることができ、ヘテロ原子が場合により３個から４０個の炭素原子を有する芳香族基に存在してもよい芳香族基、ならびにそれらの混合からなる群から独立して選択され、少なくとも１つのＲ６およびＲ７は芳香族基であり、ｐは０または１である、芳香族エーテルと、
ｃ）以下の式を有するアミドであって、
【化２】
2015091955.tif 000002
ここで、各Ｒ３およびＲ４は、（ｉ）アルキル基であって、直鎖状もしくは分岐鎖状、環状もしくは非環状、置換もしくは非置換、飽和もしくは不飽和のアルキル基であることができ、ヘテロ原子が場合により１個から４０個の炭素原子を有するアルキル基に存在してもよい、アルキル基、（ｉｉ）アリールアルキル基であって、置換または非置換のアリールアルキル基であることができ、前記アリールアルキル基のアルキル部分は直鎖状もしくは分岐鎖状、環状もしくは非環状、置換もしくは非置換、飽和もしくは不飽和であることができ、ヘテロ原子が場合により４から４０個の炭素原子を有する前記アリールアルキル基のアリール部分またはアルキル部分のいずれかに存在してもよい、アリールアルキル基、および（ｉｉｉ）芳香族基であって、置換または非置換の芳香族基であることができ、置換基は、直鎖状、分岐鎖状、環状または非環状のアルキル基であることができ、ヘテロ原子が場合により３個から４０個の炭素原子を有する芳香族基に存在してもよい、芳香族基、ならびにそれらの混合物からなる群から独立して選択される、アミドと、
ｄ）以下の式を有する化合物であって、
【化３】
2015091955.tif 000003
ここで、Ｒ６およびＲ７は同一でも異なってもよく、各Ｒ６およびＲ７は、（ｉ）アルキル基であって、直鎖状もしくは分岐鎖状、環状もしくは非環状、置換もしくは非置換、飽和もしくは不飽和のアルキル基であることができ、ヘテロ原子が場合により１個から４０個の炭素原子を有するアルキル基に存在してもよい、アルキル基、（ｉｉ）アリールアルキル基であって、置換または非置換のアリールアルキル基であることができ、前記アリールアルキル基のアルキル部分は、直鎖状もしくは分岐鎖状、環状もしくは非環状、置換もしくは非置換、飽和もしくは不飽和であることができ、ヘテロ原子が場合により４個から４０個の炭素原子を有する前記アリールアルキル基のアリール部分またはアルキル部分のいずれかに存在してもよい、アリールアルキル基、および（ｉｉｉ）芳香族基であって、置換または非置換の芳香族基であることができ、置換基は、直鎖状、分岐鎖状、環状または非環状のアルキル基であることができ、ヘテロ原子が場合により３個から４０個の炭素原子を有する芳香族基に存在してもよい、芳香族、ならびにそれらの混合からなる群から独立して選択される、化合物と、
からなる群から選択される、相変化インク。
【請求項２】
前記非晶質成分が、１０００ｇ／モル未満の分子量を有する、請求項１記載の相変化インク。
【請求項３】
前記結晶質成分が、２０００ｇ／モル未満の分子量を有する、請求項１記載の相変化インク。
【請求項４】
前記結晶質成分が、１４０℃の温度における、２から５０センチポアズの範囲の粘度を有する、請求項１記載の相変化インク。
【請求項５】
前記結晶質成分が、以下の式を有するジウレタンであり、
【化４】
2015091955.tif 000004
ここで、Ｑはアルカンジイルであり、各Ｒ６およびＲ７は独立して、場合により１つ以上のアルキルで置換されているフェニルまたはシクロヘキシルであり、ｉは０または１であり、ｊは０または１であり、ｐは１から４であり、ｑは１から４であり、
１５秒未満で結晶化する、請求項１記載の相変化インク。
【請求項６】
前記結晶質成分が、以下の式を有する芳香族エーテルであり、
Ｒ６−Ｏ−［（ＣＨ２）２Ｏ］ｐ−Ｒ７
ここで、Ｒ６およびＲ７は、（ｉ）アルキル基であって、直鎖状もしくは分岐鎖状、環状もしくは非環状、置換もしくは非置換、飽和もしくは不飽和のアルキル基であることができ、ヘテロ原子が場合により１から４０個の炭素原子を有するアルキル基に存在してもよいアルキル基、（ｉｉ）アリールアルキル基であって、置換または非置換のアリールアルキル基であることができ、前記アリールアルキル基のアルキル部分は、直鎖状もしくは分岐鎖状、環状もしくは非環状、置換もしくは非置換、飽和もしくは不飽和であることができ、ヘテロ原子が場合により４個から４０個の炭素原子を有する前記アリールアルキル基のアリール部分またはアルキル部分のいずれかに存在してもよいアリールアルキル基、および（ｉｉｉ）芳香族基であって、置換または非置換の芳香族基であることができ、置換基は、直鎖状、分岐鎖状、環状または非環状のアルキル基であることができ、ヘテロ原子が場合により３個から４０個の炭素原子を有する芳香族基に存在してもよい芳香族基、ならびにそれらの混合からなる群から独立して選択され、少なくとも１つのＲ６およびＲ７は芳香族基であり、ｐは０または１であり、
１５秒未満で結晶化する、請求項１記載の相変化インク。
【請求項７】
前記非晶質成分が、式Ｉ−ａ：
【化５】
2015091955.tif 000005
の酒石酸のエステルまたは式ＩＩ−ａ：
【化６】
2015091955.tif 000006
のクエン酸のエステルを含み、ここで、各Ｒ１、Ｒ２、Ｒ３、Ｒ４およびＲ５は独立してアルキル基であり、前記アルキルは、直鎖状、分岐鎖状もしくは環状であることができ、飽和もしくは不飽和であることができ、置換もしくは非置換であることができ、１個から４０個の炭素原子を有する、アルキル基、または、置換もしくは非置換の芳香族もしくは複素芳香族の基ならびにそれらの混合である、請求項１記載の相変化インク。
【請求項８】
さらに、有機顔料を含み、
前記相変化インクが、有機顔料を含まない同じ組成物より速く液状から結晶化する、請求項１記載の相変化インク。
【請求項９】
前記非晶質成分が、以下の式を有する非晶質ジウレタン化合物であり、
【化７】
2015091955.tif 000007
ここで、Ｚは、
【化８】
2015091955.tif 000008
からなる群から選択され、各Ｒ３およびＲ４は、ｉ）アルキル基であって、１個から８個の炭素原子を有する直鎖状もしくは分岐鎖状であることができる、アルキル基またはｉｉ）アリール基であり、ただし、Ｚが−（ＣＨ２）６−である場合、両Ｒ３およびＲ４は−（ＣＨ２）ｎ−Ｃ６Ｈ５ではない（ｎは０〜４のいずれかである）であり、
１５秒未満で結晶化する、請求項１記載の相変化インク。
【請求項１０】
前記結晶質成分が、以下の式を有するアミドであり、
【化９】
2015091955.tif 000009
ここで、各Ｒ３およびＲ４は、（ｉ）アルキル基であって、直鎖状もしくは分岐鎖状、環状もしくは非環状、置換もしくは非置換、飽和もしくは不飽和のアルキル基であることができ、ヘテロ原子が場合により１個から４０個の炭素原子を有するアルキル基に存在してもよい、アルキル基、（ｉｉ）アリールアルキル基であって、置換または非置換のアリールアルキル基であることができ、前記アリールアルキル基のアルキル部分は、直鎖状もしくは分岐鎖状、環状もしくは非環状、置換もしくは非置換、飽和もしくは不飽和であることができ、ヘテロ原子が場合により４から４０個の炭素原子を有する、前記アリールアルキル基のアリール部分またはアルキル部分のいずれかに存在してもよい、アリールアルキル基、および（ｉｉｉ）芳香族基であって、置換または非置換の芳香族基であることができ、置換基は直鎖状、分岐鎖状、環状または非環状のアルキル基であることができ、ヘテロ原子が場合により３個から４０個の炭素原子を有する芳香族基に存在してもよい、芳香族基、ならびにそれらの混合物からなる群から独立して選択され、
１５秒未満で結晶化する、請求項１記載の相変化インク。
【請求項１１】
前記非晶質成分が、式Ｉ−ａ：
【化１０】
2015091955.tif 000010
の酒石酸のエステルを含み、ここで、Ｒ１およびＲ２は独立してアルキル基であって、前記アルキルは、直鎖状、分岐鎖状もしくは環状であることができ、飽和もしくは不飽和であることができ、置換もしくは非置換であることができ、１個から４０個の炭素原子を有するアルキル基、または、置換もしくは非置換の芳香族もしくは複素芳香族の基ならびにそれらの混合である、請求項１０記載の相変化インク。
【請求項１２】
脂肪酸と、
結晶質成分と、
非晶質成分と、を含み、
４０℃から８０℃の範囲の温度において、（ｉ）２Ｎから４．５Ｎの範囲の静的力、および、（ｉｉ）３００ＭＰａから７００ＭＰａの範囲の貯蔵弾性率を同時に示し、
前記結晶質成分が、ワックスでなく、
前記脂肪酸を含まない同じ組成物より速く液状から結晶化する、相変化インク。
【請求項１３】
前記非晶質成分が、式Ｉ−ａ：
【化１１】
2015091955.tif 000011
の第１の酒石酸のエステルまたは式ＩＩ−ａ：
【化１２】
2015091955.tif 000012
の第１のクエン酸のエステルを含み、ここで、各Ｒ１、Ｒ２、Ｒ３、Ｒ４およびＲ５は独立してアルキル基であり、前記アルキルは、直鎖状、分岐鎖状もしくは環状であることができ、飽和もしくは不飽和であることができ、置換もしくは非置換であることができ、１個から４０個の炭素原子を有し、
前記結晶質成分が、式ＩＩＩ：
【化１３】
2015091955.tif 000013
の第２の酒石酸のエステルを含み、ここで、各Ｒ６およびＲ７は独立して、場合により低級のアルキルおよびアルコキシで置換されているアリールまたはヘテロアリールであり、各ｎは独立して０から３である、請求項１２記載の相変化インク。
【請求項１４】
前記結晶質成分が、以下の式を有する化合物であり、
【化１４】
2015091955.tif 000014
ここで、Ｒ６およびＲ７は同一でも、異なってもよく、各Ｒ６およびＲ７は、（ｉ）アルキル基であって、直鎖状もしくは分岐鎖状、環状もしくは非環状、置換もしくは非置換、飽和もしくは不飽和のアルキル基であることができ、ヘテロ原子が場合により１個から４０個の炭素原子を有するアルキル基に存在してもよい、アルキル基、（ｉｉ）アリールアルキル基であって、置換または非置換のアリールアルキル基であることができ、前記アリールアルキル基のアルキル部分は、直鎖状もしくは分岐鎖状、環状もしくは非環状、置換もしくは非置換、飽和もしくは不飽和であることができ、ヘテロ原子が場合により４個から４０個の炭素原子を有する前記アリールアルキル基のアリール部分またはアルキル部分のいずれかに存在してもよい、アリールアルキル基、および（ｉｉｉ）芳香族基であって、置換または非置換の芳香族基であることができ、置換基は、直鎖状、分岐鎖状、環状または非環状のアルキル基であることができ、ヘテロ原子が場合により３個から４０個の炭素原子を有する芳香族基に存在してもよい、芳香族、ならびにそれらの混合からなる群から独立して選択され、
１５秒未満で結晶化する、請求項１記載の相変化インク。
【請求項１５】
相変化インクの展着性能を予測する方法であって、
所望の静的力範囲および所望の貯蔵弾性率範囲を提供する工程；
前記相変化インクのサンプルを提供する工程；
第１の温度での前記相変化インクの静的力を決定する工程；
前記第１の温度での前記相変化インクの貯蔵弾性率を決定する工程；
前記決定された静的力が前記所望の静的力範囲内であり、かつ、前記決定された貯蔵弾性率が前記所望の貯蔵弾性率範囲内である場合に、前記相変化インクが許容可能な展着性能を提供するであろうと予測する工程；ならびに、
前記決定された静的力が前記所望の静的力範囲内でないか、または、前記決定された貯蔵弾性率が前記所望の貯蔵弾性率範囲内でない場合に、前記相変化インクが許容可能な展着性能を提供するであろうと予測しない工程を含む、
方法。
【請求項１６】
前記所望の静的力範囲が、２Ｎから４．５Ｎである、請求項１５記載の方法。
【請求項１７】
前記所望の貯蔵弾性率範囲が、３００ＭＰａから７００ＭＰａである、請求項１５記載の方法。
【請求項１８】
前記相変化インクの静的力を決定する工程が、前記インクの静的力を測定することを含む、請求項１５記載の方法。
【請求項１９】
前記相変化インクの貯蔵弾性率を決定する工程が、前記インクの静的力を測定することを含む、請求項１５記載の方法。